(57)【要約】【課題】専用、汎用を問わず取付けのための別部品を用いることなく、且つ取り付けも簡単で、壁と棚との間にも隙間（デットスペース）も生じない壁取り付け用棚を提供する。【解決手段】壁装着用棚を、平板状の棚部と、同棚部下部に設けた装着時に同棚部を支える棚支持部と、少なくとも棚部背面左右に設けた同棚部上下に突出する複数本のステープラー針を打ち込む広さの取付部を備えた同ステープラー針が貫通可能な薄肉の合成樹脂板、とから構成した。【選択図】図１
0003222100.tif 000002
【実用新案登録請求の範囲】
【請求項１】
平板状の棚部と、同棚部下面に設けた装着時に同棚部を支える棚支持部と、少なくとも棚部背面左右に設けた同棚部上下に突出する複数本のステープラー針を打ち込む広さの取付部を備えた同ステープラー針が貫通可能な薄肉の合成樹脂板、とから構成したことを特徴とする壁装着用棚。
【考案の詳細な説明】
【技術分野】
【０００１】
本考案は、壁に装着する壁装着用棚に関するものである。
【背景技術】
【０００２】
従来、アパート等の賃貸住宅等においては、生活を営む上で、壁面に棚を取付けて利便性を向上させたいが、転居時等の取付け物の撤去により、画鋲や釘あるいは木ネジの穴等の取り付け跡が明瞭に残ることから、貸主側から、壁紙の張替え等の補修工事を求められるという問題があった。
【０００３】
また、個人所有の住宅においても、取り付け物の撤去後に美観を損ねるという点で同様の問題であり、取付け物撤去後も、美観を維持したいという欲求がある。これに対し、賃貸住宅等及び一般戸建て住宅において最も一般的な石膏ボードからなる壁面に対応したものとして特許文献１に記載された吊り下げ具とこの吊り下げ具に係止する受け金具を用いた取付け具が知られている。
【０００４】
上記特許文献１は、壁面に固定される針打込部材を取り付けることによって固定基部を壁面に固定させ、当該固定基部を基端部として形成されたフック部に掛けられたものを吊り下げる吊り下げ具であって、
前記固定基部には、複数本のステープラー針を打ち込む広さを備えた開口部が開設されるとともに、
当該開口部とほぼ同じ広さを備えて開口部内において固定基部裏面とほぼ同一面上に配置される平面部の全周縁から開口部内壁に沿って略直交方向に立ち上がった後、その上端縁から固定基部表面に沿って全周に渡って略直交方向にフランジ状に張り出して形成される針打込部材が開口部に嵌合して取り付けられ、
該針打込部材は、ステープラーのヘッド押圧操作時の押出力によってステープラー針が貫通できる程度の硬度で、かつ、ステープラー針が貫通可能な薄肉の合成樹脂材により形成され、固定基部の裏面を壁面に当接させた状態で平面部にステープラー針が打ち込まれることにより当該ステープラー針の脚部が平面部を貫通して壁面に突き刺さることによって当該壁面に対して固定される吊り下げ具である。
【先行技術文献】
【特許文献】
【０００５】
【特許文献１】特開２００６−２２９１０号
【考案の概要】
【考案が解決しようとする課題】
【０００６】
上記吊り下げ具は、ステープラーにて簡単に壁に装着できると共に、壁面の穴も肉眼において目立つような大きさの穴の発生を防いで補修も簡単で済むが、
（１）壁面に棚を取付けるに当たり、棚以外に上記吊り下げ具や受け金具などの取付け具を購入しなければならない。
（２）壁面への吊り下げ具の装着作業、および棚本体への受け金具の二重の装着作業を要し、取り付け作業が煩雑である。
（３）各吊り下げ具や受け金具の上下方向の取付け位置ズレにて、装着した棚が左右方向に傾くため、各吊り下げ具や受け金具の装着時の位置合わせが大変であった。
（４）上記固定基部の針打込部材へのステープラー針の打ち込みは、斜め約30度の角度で打ち込む必要があり、場合によっては別売りの取付け補助具を購入しなければならない。
（５）棚装着時、吊り下げ具と受け金具の取付けスペースによって棚と壁面との間に隙間ができるため、装着した棚が前傾するものであった。場合により同前傾を防ぐためのスペーサーを必要としていた。
などの問題点を有していた。
【課題を解決するための手段】
【０００７】
本考案の壁装着用棚は、平板状の棚部と、同棚部下部に設けた装着時に同棚部を支える棚支持部と、少なくとも棚部背面左右に設けた同棚部上下に突出する複数本のステープラー針を打ち込む広さの取付け部を備えた同ステープラー針が貫通可能な薄肉の合成樹脂板、とから構成したことを特徴とする。
【考案の効果】
【０００８】
本考案は、少なくとも棚部背面左右に設けた合成樹脂板の上下取り付け部にステープラー針を打ち込んで壁に棚を取付けるようにして成るので、別途取付け具を準備する必要もなく、安価に、壁に棚を取り付けることができる特徴を有する。
【０００９】
また、取り付け作業も合成樹脂板の上下取り付け部にステープラー針を打ち込む１工程で済むため、大幅な作業の簡素化及び作業時間の短縮ができる特徴を有する。
【００１０】
また、壁面と棚との間に隙間（デッドスペース）もできないので、棚が前傾することも未然に防止できると共に、美観的効果を高めることができる特徴を有する。
【００１１】
また、打ち込むステープラー針の角度は、ステープラーを壁面にセットした段階で、自然に決まるため、特段の角度設定を必要としないという特徴を有する。
【図面の簡単な説明】
【００１２】
【図１】本考案の一実施例を示す壁装着用棚の斜視図である。
【図２】本考案の一実施例を示す壁装着用棚の正面図である。
【図３】本考案の一実施例を示す壁装着用棚の背面図である。
【図４】本考案の一実施例を示す壁装着用棚の側面図である。
【図５】本考案の壁装着用棚をステープラーで取付ける状態を示す説明図である。
【図６】図５に示す本考案の壁装着用棚をステープラーで取付ける状態の正面図である。
【考案を実施するための形態】
【００１３】
棚本体１は、平板状の棚部２と、同棚部２下面に設けた棚部を壁に支持するための支持部３と、前記棚部２の背面左右に設けた合成樹脂板４とから大略構成している。
上記支持部３は、図1に示すように、棚２の中央下面に設けているが、例えば棚２が長くなれば、所要間隔を有して複数個設けてもよい。
上記合成樹脂板４は、例えばポリプロピレン又はアクリル板、ＰＥＴ板のような、ステープラー針が貫通できる程度の薄い合成樹脂板から成り、図１及び図２に示すように、棚部２の上下に突出する複数本のステープラー針を水平方向に打ち込む広さの取付部５ａ、５ｂを有するとともに図３及び図４に示すように、その中央部６を接着剤又は両面テープ等の接着部材７を介して、棚２の背面左右に装着し、さらにタッカー針８を、その背面から棚部２に打ち込んで、所要の荷重に耐えるようにしている。
【００１４】
次に上記棚本体１の装着方法について詳述する。図５に示すように、棚本体１を、部屋の装着したい壁位置に沿わせた状態で棚部２上部に突出した合成樹脂板４の上部取付部５ａにステープラー針を打ち込む。しかる後、合成樹脂板４の下部取付部５ｂにステープラー針を打ち込んで装着する。
【００１５】
上述のように単にステープラー針を打ち込むだけで、任意の壁位置に装着することができるので、従来のように別途取り付け具を用いず、安価に提供できるものである。
【００１６】
また、図７に示すように、棚と壁面との間に隙間（デッドスペース）が形成されることもないので、従来のように棚が前傾することを防止できるとともに美的効果を高めることができる。
【００１７】
また、上述したように、棚部２の背面に設けた合成樹脂板４を壁面にあてがった状態でステープラー針を打ち込むだけであるから、従来のようにステープラー針の打ち込み角度に制約されることなく極めて容易に装着することができる。
【００１８】
上記実施例では合成樹脂板４上下取付部５ａ、５ｂにそれぞれステープラー針を打ち込むようにしたが、低荷重で十分であれば上部取付部５ａのみにステープラー針を打ち込んで装着するようにしてもよい。
【符号の説明】
【００１９】
１  壁装着用棚本体
２  棚部
３  棚支持部
４  合成樹脂板
５ａ、５ｂ  取付部
６  中央部
７  接着部材
８  タッカー針
９  ステープラー
１０  ステープラー針
１１  壁面
【図１】
0003222100.tif 000003
【図２】
0003222100.tif 000004
【図３】
0003222100.tif 000005
【図４】
0003222100.tif 000006
【図５】
0003222100.tif 000007
【図６】
0003222100.tif 000008